(57)【要約】【課題】さまざま空間を快適な温度にするための空調制御を自動的に実行する技術を提供する。【解決手段】第１取得部３２０は、空調制御の対象となる空間に関する空間情報を取得する。第２取得部３２２は、空間制御の対象となる空間に存在する人の生体情報を取得する。生成部３２６は、第１取得部３２０において取得した空間情報と、第２取得部３２２において取得した生体情報とをもとに、空調制御装置に空調制御を実行させる際の制御情報を生成する。送信部３２８は、生成部３２６において生成した制御情報を空調制御装置に送信する。【選択図】図２
2018091555.tif 000002
【特許請求の範囲】
【請求項１】
空調制御の対象となる空間に関する空間情報を取得する第１取得部と、
空間制御の対象となる空間に存在する人の生体情報を取得する第２取得部と、
前記第１取得部において取得した空間情報と、前記第２取得部において取得した生体情報とをもとに、空調制御装置に空調制御を実行させる際の制御情報を生成する生成部と、
前記生成部において生成した制御情報を前記空調制御装置に送信する送信部と、
を備えることを特徴とする通信装置。
【請求項２】
生成部は、
前記第１取得部において取得した空間情報と、前記第２取得部において取得した生体情報とをもとに、人が感じている寒暖の状況を推定する推定部と、
前記推定部において推定した寒暖の状況をもとに、制御情報における制御内容を決定する決定部と、
を備えることを特徴とする請求項１に記載の通信装置。
【請求項３】
前記生成部において制御情報を生成する際の空間情報と、当該制御情報における制御内容との組合せを記憶する記憶部をさらに備え、
前記生成部は、前記第１取得部において取得した空間情報をもとに、前記記憶部から制御内容を選択し、選択した制御内容が含まれた制御情報を生成することを特徴とする請求項１または２に記載の通信装置。
【請求項４】
ユーザによる入力を受けつける受付部をさらに備え、
前記生成部は、前記受付部において受けつけた入力も反映させて制御情報を生成することを特徴とする請求項１から３のいずれかに記載の通信装置。
【請求項５】
空間に対して空調制御を実行する空調制御装置と、
前記空調制御装置を制御する通信装置とを備え、
前記通信装置は、
空調制御の対象となる空間に関する空間情報を取得する第１取得部と、
空間制御の対象となる空間に存在する人の生体情報を取得する第２取得部と、
前記第１取得部において取得した空間情報と、前記第２取得部において取得した生体情報とをもとに、前記空調制御装置に空調制御を実行させる際の制御情報を生成する生成部と、
前記生成部において生成した制御情報を前記空調制御装置に送信する送信部と、
を備えることを特徴とする空調制御システム。
【発明の詳細な説明】
【技術分野】
【０００１】
本発明は、空調制御技術に関し、特に空調制御のための情報を送信する通信装置および空調制御システムに関する。
【背景技術】
【０００２】
車両のユーザによる操作を必要とせずに車両の空調を制御するために、温度測定機能を有した通信携帯装置は、測定した温度情報をもとに空調制御装置での制御内容を決定し、制御内容を空調制御装置に送信する。空調制御装置は、制御内容にしたがって空調制御を実行する（例えば、特許文献１参照）。
【先行技術文献】
【特許文献】
【０００３】
【特許文献１】特開２０１４−１９３５１号公報
【発明の概要】
【発明が解決しようとする課題】
【０００４】
車内の温度を乗員が快適に感じるための空調制御は、温度だけに依存せず、他の要因にも依存する。また、乗員が快適に感じる車内の温度には個人差がある。一方、乗員にとっては、さまざまなタイプの車両に乗車する場合であっても車内を快適な温度に自動的に設定してもらいたい。
【０００５】
本発明はこうした状況に鑑みてなされたものであり、その目的は、さまざま空間を快適な温度にするための空調制御を自動的に実行する技術を提供することにある。
【課題を解決するための手段】
【０００６】
上記課題を解決するために、本発明のある態様の通信装置は、空調制御の対象となる空間に関する空間情報を取得する第１取得部と、空間制御の対象となる空間に存在する人の生体情報を取得する第２取得部と、第１取得部において取得した空間情報と、第２取得部において取得した生体情報とをもとに、空調制御装置に空調制御を実行させる際の制御情報を生成する生成部と、生成部において生成した制御情報を空調制御装置に送信する送信部と、を備える。
【０００７】
本発明の別の態様は、空調制御システムである。この空調制御システムは、空間に対して空調制御を実行する空調制御装置と、空調制御装置を制御する通信装置とを備える。通信装置は、空調制御の対象となる空間に関する空間情報を取得する第１取得部と、空間制御の対象となる空間に存在する人の生体情報を取得する第２取得部と、第１取得部において取得した空間情報と、第２取得部において取得した生体情報とをもとに、空調制御装置に空調制御を実行させる際の制御情報を生成する生成部と、生成部において生成した制御情報を空調制御装置に送信する送信部と、を備える。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、さまざま空間を快適な温度にするための空調制御を自動的に実行できる。
【図面の簡単な説明】
【００１０】
【図１】本発明の実施例に係る空調制御システムの構成を示す図である。
【図２】図１の通信装置の構成を示す図である。
【図３】図２の推定部に記憶されるテーブルのデータ構造を示す図である。
【図４】図１の空調制御システムによる処理手順を示すシーケンス図である。
【図５】図２の通信装置による処理手順を示すフローチャートである。
【図６】図２の通信装置による空調制御手順を示すフローチャートである。
【発明を実施するための形態】
【００１１】
本発明の実施例を具体的に説明する前に、概要を述べる。本発明の実施例は、車両に搭載され、かつ車内の空調を制御するための空調制御システムに関する。車内の空調を制御するための空調制御装置は、一般的に運転席の近傍に配置され、運転席あるいは助手席に着席する乗員（以下、「運転者等」という）によって直接操作される。乗員として外国人が車両の後部座席に着席した場合、外国人と運転者等の間で言葉が通じなければ、外国人が運転者等に空調制御を相談することは困難である。また、サイズの大きな乗り合いのマイクロバスに乗員が着席した場合、その乗員が運転者等に空調制御を相談することも困難である。
【００１２】
このような状況下において、運転者等とのコミュニケーションをとることなく乗員が空調を制御できると、乗員にとって好ましい。そのために、乗員が所有する携帯通信装置（以下、「通信装置」という）から空調制御装置に制御情報を送信することによって、空調制御装置から離れた位置から空調制御装置が自動的に操作される。その際、制御情報には、温度設定、風量設定等の指示が含まれる。制御情報に含まれる制御内容は、乗員にとって快適な環境を提供するように設定されることが望ましいが、制御内容の値は、車内外の温度、車両のサイズ、着席した座席の位置、乗員の好みによって異なる。そのため、これらを反映するように制御内容が設定されるべきである。
【００１３】
一方、乗員は、通信装置を携帯しながら、他の車両に乗車することもあり、その際も、同じように空調を制御可能であれば乗員の利便性が向上する。つまり、通信装置によって、さまざま車両の車内を快適な温度にするための空調制御を自動的に実行することが望まれる。これに対応するために、本実施例に係る空調制御システムにおける空調制御装置と空間情報管理装置は、いずれも無線通信機能を有しながら車両に搭載される。空間情報管理装置は、さまざまなセンサに接続されており、車内外の温度等などの空調制御の対象となる空間に関する空間情報を取得する。通信装置を携帯した乗員には生体情報管理装置が装着されており、当該乗員が乗車した場合、空間情報管理装置は、通信装置に空間情報を送信する。また、生体情報管理装置は、空間制御の対象となる空間に存在する乗員の生体情報を取得し、生体情報を通信装置に送信する。通信装置は、空間情報と生体情報とをもとに制御情報を生成し、制御情報を空調制御装置に送信する。空調制御装置は、制御情報に含まれた制御内容に応じて空調を制御する。
【００１４】
図１は、本発明の実施例に係る空調制御システム１００の構成を示す。空調制御システム１００は、空間情報管理装置１０、生体情報管理装置２０、通信装置３０、空調制御装置４０を含む。このうちの空間情報管理装置１０、空調制御装置４０は、車両５０に搭載される。また、車両５０には、運転席６０、座席６２と総称される第１座席６２ａ、第２座席６２ｂ、第３座席６２ｃ、第４座席６２ｄ、第５座席６２ｅ、第６座席６２ｆ、第７座席６２ｇ、吹出口６４と総称される第１吹出口６４ａ、第２吹出口６４ｂ、第３吹出口６４ｃ、第４吹出口６４ｄ、第５吹出口６４ｅ、第６吹出口６４ｆが配置される。ここで、車両５０に配置される座席６２の数は「７」とされ、車両５０に乗車する乗員６８の数は「１」とされるが、これらに限定されない。
【００１５】
図１の上方が車両５０の前方を示し、図１の下方が車両５０の後方を示す。車両５０には、前後方向に３列の座席６２が配置される。最も前方側には、運転席６０と第１座席６２ａが配置され、第１座席６２ａは助手席に相当する。中央には、第２座席６２ｂから第４座席６２ｄが配置され、最も後方側には、第５座席６２ｅから第７座席６２ｇが配置される。このような配置において、一例として、運転席６０には運転者６６が着席し、第５座席６２ｅには乗員６８が着席する。
【００１６】
車両５０の前方には、空調制御装置４０が設置される。空調制御装置４０は、車内の空間に対して空調制御を実行する。空調制御装置４０は、第１吹出口６４ａ〜第６吹出口６４ｆのそれぞれに接続されており、空調制御をもとに、第１吹出口６４ａ〜第６吹出口６４ｆのそれぞれのそれぞれから冷風を出したり、温風を出したりする。第１吹出口６４ａと第２吹出口６４ｂは、主として運転席６０と最も前方側の座席６２に向けられ、第３吹出口６４ｃと第４吹出口６４ｄは、主として中央の座席６２に向けられ、第５吹出口６４ｅと第６吹出口６４ｆは、主として最も後方側の座席６２に向けられる。なお、第１吹出口６４ａ〜第６吹出口６４ｆにおける風向は、空調制御装置４０による制御によって可変であってもよい。
【００１７】
空間情報管理装置１０は、例えば、車両５０の前方に配置されるが、これに限られない。空間情報管理装置１０は、ＣＡＮ（Ｃｏｎｔｒｏｌｌｅｒ  Ａｒｅａ  Ｎｅｔｗｏｒｋ）通信、センサ、インターネットを介して空間情報を収集する。空間情報は、車外情報と車内情報とに分類される。空間情報管理装置１０は、車外情報として、車両５０の外部に設けた温度センサにより測定した外気温を取得したり、車両５０の外部に設けた日射量センサにより測定した日射量を取得したりする。また、空間情報管理装置１０は、他種のセンサを車両５０の外部に設け、多種のセンサにより測定した他の情報を取得してもよい。さらに、空間情報管理装置１０はＣＡＮ通信あるいはインターネットから現在の季節に関する情報を取得する。このような車外情報は、車両５０の外部に関する情報であるといえる。
【００１８】
また、空間情報管理装置１０は、車内情報として、車内に設けた温度センサにより測定した車内温度を取得したり、座席６２毎に設けられた着座センサでの検出結果より乗員人数を取得したりする。その際、着席された座席６２の位置まで特定されてもよい。また、空間情報管理装置１０は、車両５０の大きさに関する情報を予め保持する。このような車内情報は、車両５０の車内および車両５０自体に関する情報であるといえる。空間情報管理装置１０は、空間情報を無線信号として送信するための無線通信機能を備える。空間情報管理装置１０によって実行される無線通信は、例えば、無線ＬＡＮ（Ｌｏｃａｌ  Ａｒｅａ  Ｎｅｔｗｏｒｋ）、Ｂｌｕｅｔｏｏｔｈ（登録商標）のような無線ＰＡＮ（Ｐｅｒｓｏｎａｌ  Ａｒｅａ  Ｎｅｔｗｏｒｋ）等である。
【００１９】
生体情報管理装置２０は、乗員６８に装着され、各種センサによって測定された体温、発汗量、脈拍、脳波等を生体情報として取得する。生体情報管理装置２０は、生体情報を無線信号として送信するための無線通信機能を備える。生体情報管理装置２０によって実行される無線通信は、例えば、Ｂｌｕｅｔｏｏｔｈ（登録商標）のような無線ＰＡＮ等である。
【００２０】
通信装置３０は、乗員６８に携帯され、前述の空間情報管理装置１０および生体情報管理装置２０との無線通信を実行するための無線通信機能を備える。また、通信装置３０は、携帯電話通信システム等にも対応しており、例えば、スマートフォンにより構成される。通信装置３０は、空調制御装置４０を制御するためのアプリケーションプログラムを格納しており、当該アプリケーションプログラムが実行されることによって、空間情報管理装置１０からの空間情報と、生体情報管理装置２０からの生体情報とを受信する。また、通信装置３０は、空間情報と生体情報とをもとに、空調制御装置４０を制御するための制御情報を生成する。制御情報の生成の詳細は後述する。通信装置３０は、制御情報を空調制御装置４０に送信する。空調制御装置４０との間の無線通信は、例えば、無線ＬＡＮ、Ｂｌｕｅｔｏｏｔｈ（登録商標）のような無線ＰＡＮ等によってなされる。
【００２１】
空調制御装置４０は、通信装置３０からの制御情報を受信する。空調制御装置４０は、制御情報に含まれた制御内容に応じて空調制御を実行する。例えば、空調制御装置４０は、制御内容における温度設定、風量設定、風向設定等の少なくとも１つに応じた空調制御を実行する。
【００２２】
図２は、通信装置３０の構成を示す。通信装置３０は、第１通信部３００、第２通信部３０２、操作部３０４、処理部３０６を含む。また、処理部３０６は、第１取得部３２０、第２取得部３２２、受付部３２４、生成部３２６、送信部３２８、記憶部３３０を含み、生成部３２６は、推定部３４０、決定部３４２、選択部３５０を含む。ここでは、携帯電話通信システム等に対応するための構成を省略する。
【００２３】
第１通信部３００は、図１の空間情報管理装置１０、空調制御装置４０との間で無線通信を実行する。第１通信部３００は、例えば、無線ＬＡＮ、無線ＰＡＮに対応した処理を実行可能である。第２通信部３０２は、図１の生体情報管理装置２０との間で無線通信を実行する。第２通信部３０２は、例えば、無線ＰＡＮに対応した処理を実行可能である。第１通信部３００と第２通信部３０２とが同一の無線通信システムに対応する場合、これらは共通化されてもよい。無線通信システムとして公知の技術が使用されればよいので、ここでは説明を省略する。操作部３０４は、ボタン、タッチパネル等のインターフェイスであり、ユーザによって操作される。
【００２４】
第１取得部３２０は、第１通信部３００において受信した信号であって、かつ空間情報管理装置１０からの信号を受けつける。第１取得部３２０は、受けつけた信号から空間情報を取得する。第１取得部３２０は、空間情報を生成部３２６に出力する。第２取得部３２２は、第２通信部３０２において受信した信号であって、かつ生体情報管理装置２０からの信号を受けつける。第２取得部３２２は、受けつけた信号から生体情報を取得する。第２取得部３２２は、生体情報を生成部３２６に出力する。
【００２５】
推定部３４０は、第１取得部３２０において取得した空間情報と、第２取得部３２２において取得した生体情報とをもとに、ユーザが感じている寒暖の状況を推定する。この推定には、図３に示されるテーブルが使用される。図３は、推定部３４０に記憶されるテーブルのデータ構造を示す。図示のごとく、空間情報における車外情報に含まれる項目である「外気温」、「日射量」等が示されるとともに、各項目に対する判定条件が示される。また、空間情報における車内情報、生体情報に含まれる各項目に対しても同様に判定条件が示される。ここで、判定条件に含まれる値であって、かつ判定基準となる値である「ａ」、「ｂ」・・・等は、ユーザによって設定される。そのため、判定条件には、ユーザの好みが反映されているといえる。図２に戻る。
【００２６】
推定部３４０は、取得した空間情報と生体情報とに含まれる各項目と、図３に示された判定条件とを比較することによって、各項目の点数を導出する。また、推定部３４０は、各項目の点数を積算することによって、現在の点数を導出する。現在の点数が正の値になると、ユーザが暑いと感じていると推定される。一方、現在の点数が負の値になると、ユーザが寒いと感じていると推定される。また、現在の点数がゼロに近いほど、ユーザが快適に感じていると推定される。つまり、現在の点数を導出することが、ユーザが感じている寒暖の状況を推定することに相当する。
【００２７】
決定部３４２は、推定部３４０において導出した現在の点数、つまり推定部３４０において推定した寒暖の状況を取得する。決定部３４２は、現在の点数をもとに、制御情報における制御内容を決定する。例えば、現在の点数が正の値である場合、決定部３４２は、温度設定を下げ、風量設定を強め、風向設定を乗員に向けるような制御内容を決定する。また、現在の点数が負の値である場合、決定部３４２は、設定温度を上げ、風量設定を弱め、風向設定を乗員から外すような制御内容を決定する。なお、現在の点数の絶対値が大きくなるほど、設定温度の上げ幅あるいは下げ幅が大きくなるように、設定温度の変化量を可変にしてもよい。これは、風量設定についても同様である。
【００２８】
設定内容における設定温度、風量設定、風向設定は、絶対的な値として示されてもよく、現在の設定値からの相対的な値として示されてもよい。ここでは、前者であるとする。決定部３４２は、制御内容が含まれた制御情報を送信部３２８に出力する。このように、生成部３２６は、第１取得部３２０において取得した空間情報と、第２取得部３２２において取得した生体情報とをもとに、空調制御装置４０に空調制御を実行させる際の制御情報を生成する。送信部３２８は、生成部３２６において生成した制御情報を第１通信部３００に送信させる。制御情報の宛先は空調制御装置４０である。
【００２９】
一方、受付部３２４は、操作部３０４を介してユーザによる入力を受けつける。ユーザの入力の一例は、図３における判定条件に含まれる値であって、かつ判定基準となる値である「ａ」、「ｂ」・・・等のうちの少なくとも１つである。受付部３２４は、受けつけた入力を生成部３２６に出力する。生成部３２６は、受付部３２４において受けつけた入力をもとに判定条件における「ａ」、「ｂ」・・・等の値を修正する。つまり、生成部３２６は、受付部３２４において受けつけた入力も反映させて制御情報を生成する。
【００３０】
記憶部３３０は、生成部３２６において制御情報を生成する際の空間情報と、当該制御情報における制御内容との組合せを履歴データとして記憶する。その際、推定部３４０において導出した点数の絶対値が所定値以下となる場合の組合せだけが記憶部３３０に記憶されてもよい。特に、点数がゼロとなる場合の組合せだけが記憶部３３０に記憶されてもよい。これは、ユーザの快適性が比較的高い場合の組合せだけが記憶されることに相当する。なお、記憶部３３０は、生体情報も組合せに含めて記憶してもよい。
【００３１】
ユーザが新たに車両５０に乗り込んだ場合、選択部３５０は、記憶部３３０に履歴データが存在しているかを確認する。履歴データが存在する場合、選択部３５０は、第１取得部３２０において取得した空間情報に最も近い空間情報を記憶部３３０から選択する。例えば、選択部３５０は、記憶部３３０に記憶された空間情報（以下、「履歴情報」という）のそれぞれと、第１取得部３２０において取得した空間情報との間において、項目毎の点数の違いを導出するとともに、それらを積算する。積算結果が、各履歴情報と空間情報との違いである。選択部３５０は、違いが最小である履歴情報を選択する。
【００３２】
また、選択部３５０は、選択した履歴情報に対応した制御内容を初期の制御内容として記憶部３３０から選択する。選択に生体情報が使用されてもよい。なお、最小の違いが所定値以上である場合、選択部３５０は履歴情報を選択せず、これまでの処理が実行される。さらに、初期の制御内容が制御情報に含まれて送信された後は、これまで説明した処理が実行される。
【００３３】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００３４】
以上の構成による空調制御システム１００の動作を説明する。図４は、空調制御システム１００による処理手順を示すシーケンス図である。空間情報管理装置１０は、空間情報を取得し（Ｓ１０）、空間情報を通信装置３０に送信する（Ｓ１２）。生体情報管理装置２０は、生体情報を取得し（Ｓ１４）、生体情報を通信装置３０に送信する（Ｓ１６）。通信装置３０は、空間情報と生体情報とをもとに制御情報を生成する（Ｓ１８）。通信装置３０は、制御情報を空調制御装置４０に送信する（Ｓ２０）。空調制御装置４０は、制御情報をもとに空調制御を実行する（Ｓ２２）。
【００３５】
図５は、通信装置３０による処理手順を示すフローチャートである。第１取得部３２０は空間情報の取得を開始し、第２取得部３２２は生体情報の取得を開始する（Ｓ１００）。選択部３５０は履歴データの存在を確認する（Ｓ１０２）。使用可能な履歴データがある場合（Ｓ１０４のＹ）、選択部３５０、送信部３２８は、初期の制御情報を送信する（Ｓ１０６）。使用可能な履歴データがない場合（Ｓ１０４のＮ）、生成部３２６は制御情報を生成し（Ｓ１０８）、送信部３２８は制御情報を送信する（Ｓ１１０）。記憶部３３０は、制御情報に含まれた制御内容と空間情報との組合せを記憶する（Ｓ１１２）。
【００３６】
図６は、通信装置３０による空調制御手順を示すフローチャートである。これは、図５のステップ１０８、ステップ１１０に相当する。推定部３４０は、寒暖の状況を推定する（Ｓ１５０）。これは、点数を導出することに相当する。暑いと感じている状況であれば（Ｓ１５２のＹ）、送信部３２８は、制御情報を送信する（Ｓ１５４）。ここで、温度設定：下げる、風量設定：強める、風向設定：乗員に向けると設定される。推定部３４０は、寒暖の状況を推定する（Ｓ１５６）。暑いと感じている状況であれば（Ｓ１５８のＹ）、ステップ１５４に戻る。一方、暑いと感じていない状況であれば（Ｓ１５８のＮ）、推定部３４０は、寒暖の状況を推定する（Ｓ１６０）。
【００３７】
なお、暑いと感じていない状況である場合（Ｓ１５２のＮ）、ステップ１５４からステップ１５８はスキップされて、推定部３４０は、寒暖の状況を推定する（Ｓ１６０）。寒いと感じている状況であれば（Ｓ１６２のＹ）、送信部３２８は、制御情報を送信する（Ｓ１６４）。ここで、温度設定：上げる、風量設定：弱める、風向設定：乗員から外すと設定される。その後、ステップ１５８に戻る。一方、寒いと感じている状況でなければ（Ｓ１６２のＮ）、記憶部３３０は組合せを記憶する（Ｓ１６６）。
【００３８】
本実施例によれば、空間情報と生体情報とをもとに制御情報を生成し、制御情報を空調制御装置に送信するので、さまざま空間を快適な温度にするための空調制御を自動的に実行できる。また、空間情報には車外情報と車内情報とが含まれるので、車外の状況と車内の状況を反映した制御情報を生成できる。車外の状況と車内の状況と生体情報を反映した制御情報が生成されるので、ユーザにとって快適な空調制御を実行できる。また、通信装置が制御情報を生成するので、ユーザがさまざまな車両に乗り込んだ場合であっても、自動的に快適な空調制御を実行できる。
【００３９】
また、空間情報と生体情報とをもとに、人が感じている寒暖の状況を推定するので、さまざま空間に対する寒暖の状況の推定精度を向上できる。また、寒暖の状況を点数として導出するので、処理を簡易にできる。また、過去の履歴を使用して初期の制御情報を生成するので、制御情報をすぐに生成できる。また、制御情報がすぐに生成されるので、空調制御をすぐに開始できる。また、ユーザによる入力も反映させて制御情報を生成するので、ユーザにとって快適な空間を提供できる。
【００４０】
本発明の一態様の概要は、次の通りである。本発明のある態様の通信装置は、空調制御の対象となる空間に関する空間情報を取得する第１取得部と、空間制御の対象となる空間に存在する人の生体情報を取得する第２取得部と、第１取得部において取得した空間情報と、第２取得部において取得した生体情報とをもとに、空調制御装置に空調制御を実行させる際の制御情報を生成する生成部と、生成部において生成した制御情報を空調制御装置に送信する送信部と、を備える。
【００４１】
この態様によると、空間情報と生体情報とをもとに制御情報を生成し、制御情報を空調制御装置に送信するので、さまざま空間を快適な温度にするための空調制御を自動的に実行できる。
【００４２】
生成部は、第１取得部において取得した空間情報と、第２取得部において取得した生体情報とをもとに、人が感じている寒暖の状況を推定する推定部と、推定部において推定した寒暖の状況をもとに、制御情報における制御内容を決定する決定部と、を備えてもよい。この場合、空間情報と生体情報とをもとに、人が感じている寒暖の状況を推定するので、さまざま空間に対する寒暖の状況の推定精度を向上できる。
【００４３】
生成部において制御情報を生成する際の空間情報と、当該制御情報における制御内容との組合せを記憶する記憶部をさらに備えてもよい。生成部は、第１取得部において取得した空間情報をもとに、記憶部から制御内容を選択し、選択した制御内容が含まれた制御情報を生成してもよい。この場合、過去の履歴を使用するので、制御情報をすぐに生成できる。
【００４４】
ユーザによる入力を受けつける受付部をさらに備えてもよい。生成部は、受付部において受けつけた入力も反映させて制御情報を生成してもよい。この場合、ユーザによる入力も反映させて制御情報を生成するので、ユーザにとって快適な空間を提供できる。
【００４５】
本発明の別の態様は、空調制御システムである。この空調制御システムは、空間に対して空調制御を実行する空調制御装置と、空調制御装置を制御する通信装置とを備える。通信装置は、空調制御の対象となる空間に関する空間情報を取得する第１取得部と、空間制御の対象となる空間に存在する人の生体情報を取得する第２取得部と、第１取得部において取得した空間情報と、第２取得部において取得した生体情報とをもとに、空調制御装置に空調制御を実行させる際の制御情報を生成する生成部と、生成部において生成した制御情報を空調制御装置に送信する送信部と、を備える。
【００４６】
この態様によると、空間情報と生体情報とをもとに制御情報を生成し、制御情報を空調制御装置に送信するので、さまざま空間を快適な温度にするための空調制御を自動的に実行できる。
【００４７】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００４８】
本実施例において空調制御システム１００は、車両５０に搭載される。しかしながらこれに限らず例えば、空調制御システム１００は、車両５０以外の空間に設置されてもよい。車両５０以外の空間の一例は屋内である。本変形例によれば、空調制御システム１００の適用範囲を拡大できる。
【００４９】
本実施例において受付部３２４と記憶部３３０が通信装置３０に含まれている。しかしながらこれに限らず例えば、通信装置３０においてこれらのうちの少なくとも１つが省略されてもよい。本変形例によれば、構成を簡易にできる。
【００５０】
本実施例において、通信装置３０は生体情報管理装置２０と通信する。しかしながらこれに限らず例えば、生体情報管理装置２０が通信装置３０に含まれてもよい。本変形例によれば、生体情報管理装置２０の携帯を不要にできる。
【符号の説明】
【００５１】
１０  空間情報管理装置、  ２０  生体情報管理装置、  ３０  通信装置、  ４０  空調制御装置、  １００  空調制御システム、  ３００  第１通信部、  ３０２  第２通信部、  ３０４  操作部、  ３０６  処理部、  ３２０  第１取得部、  ３２２  第２取得部、  ３２４  受付部、  ３２６  生成部、  ３２８  送信部、  ３３０  記憶部、  ３４０  推定部、  ３４２  決定部、  ３５０  選択部。
【図１】
2018091555.tif 000003
【図２】
2018091555.tif 000004
【図３】
2018091555.tif 000005
【図４】
2018091555.tif 000006
【図５】
2018091555.tif 000007
【図６】
2018091555.tif 000008